(57)【要約】【課題】合成樹脂製の波板を用いた場合であっても十分な耐候性と強度を有しつつ、屋根材下部の換気を行うこと。【解決手段】垂木１０と、垂木１０に下面が支持された野地板１１と、野地板１１の上に配置され、複数枚の波板１３がその一部を重ね合わせて配置された波板構造体１２と、この波板構造体１２と、波板構造体１２の上に配置された桟木１４と、桟木１４の上に配置された瓦１５と、波板構造体１２の波上部１３ａを貫通して野地板１１、垂木１０の順で打たれた固定釘２０と、瓦１５から桟木１４に打たれた締結釘２２とを備え、波板１３には、他の波板１３との間に隙間を形成する突起部１３ｃが形成されている。【選択図】      図２
2010242349.tif 000002
【特許請求の範囲】
【請求項１】
垂木と、
この垂木に下面が支持された野地板と、
この野地板の上に配置され、複数枚の波板がその一部を重ね合わせて配置された波板構造体と、
この波板構造体の上に配置された桟木と、
この桟木の上に配置された屋根材と、
上記波板構造体の波上部を貫通して上記野地板、上記垂木の順で打たれた固定釘と、
上記屋根材から上記桟木に打たれた締結釘とを備え、
上記波板には、他の波板との間に隙間を形成する突起部が形成されていることを特徴とする屋根構造。
【請求項２】
垂木と、
この垂木に下面が支持された野地板と、
この野地板の上に配置され、複数枚の波板がその一部を重ね合わせて配置された波板構造体と、
この波板の上に配置された金属屋根材と、
この金属屋根材から上記波板の波上部を貫通して上記野地板、上記垂木の順で打たれた固定釘とを備え、
上記波板には、他の波板との間に隙間を形成する突起部が形成されていることを特徴とする屋根構造。
【請求項３】
垂木と、
この垂木に下面が支持され、複数枚の波板がその一部を重ね合わせて配置された波板構造体と、
この波板構造体の上に配置された桟木と、
この桟木の上に配置された屋根材と、
上記波板構造体の波上部を貫通して上記垂木に打たれた固定釘と、
上記屋根材から上記桟木に打たれた締結釘とを備え、
上記波板には、他の波板との間に隙間を形成する突起部が形成されていることを特徴とする屋根構造。
【請求項４】
垂木と、
この垂木に下面が支持され、複数枚の波板がその一部を重ね合わせて配置された波板構造体と、
この波板の上に配置された金属屋根材と、
この金属屋根材から上記波板の波上部を貫通して上記垂木に打たれた固定釘とを備え、
上記波板には、他の波板との間に隙間を形成する突起部が形成されていることを特徴とする屋根構造。
【請求項５】
垂木と、
この垂木に下面が支持された野地板と、
この野地板の上に配置され、複数枚の波板がその一部を重ね合わせて配置された波板構造体と、
この波板の上に配置された太陽光発電パネルと、
この太陽光発電パネルから上記波板の波上部を貫通して上記野地板、上記垂木の順で打たれた固定釘とを備え、
上記波板には、他の波板との間に隙間を形成する突起部が形成されていることを特徴とする屋根構造。
【請求項６】
垂木と、
この垂木に下面が支持され、複数枚の波板がその一部を重ね合わせて配置された波板構造体と、
この波板の上に配置された太陽光発電パネルと、
この太陽光発電パネルから上記波板の波上部を貫通して上記垂木に打たれた固定釘とを備え、
上記波板には、他の波板との間に隙間を形成する突起部が形成されていることを特徴とする屋根構造。
【請求項７】
上記波板と上記野地板との間には、通気層が形成されていることを特徴とする請求項１、２、５のいずれかに記載の屋根構造。
【請求項８】
上記波板と上記屋根材との間には、通気層が形成されていることを特徴とする請求項１又は３に記載の屋根構造。
【請求項９】
上記波板と上記金属屋根材との間には、通気層が形成されていることを特徴とする請求項２又は４に記載の屋根構造。
【請求項１０】
上記波板と上記太陽光発電パネルとの間には、通気層が形成されていることを特徴とする請求項５又は６に記載の屋根構造。
【請求項１１】
上記突起部は、上記波板の端部が折曲されて形成されたものであることを特徴とする請求項１〜６のいずれかに記載の屋根構造。
【請求項１２】
上記突起部は、上記波板の谷部に形成されていることを特徴とする請求項１〜６のいずれかに記載の屋根構造。
【請求項１３】
複数枚の波板がその一部を重ね合わせて配置された波板構造体と、
上記波板構造体の波上部を貫通する固定釘とを備え、
上記波板には、他の波板との間に隙間を形成する突起部が形成されていることを特徴とする防水下地材。
【請求項１４】
上記突起部は、上記波板の端部が折曲されて形成されたものであることを特徴とする請求項１３に記載の防水下地材。
【請求項１５】
上記突起部は、上記波板の谷部に形成されていることを特徴とする請求項１２に記載の防水下地材。
【発明の詳細な説明】
【技術分野】
【０００１】
本発明は、合成樹脂製の波板を屋根下葺防水材として用いた屋根構造に関し、特に耐久性と軒先から棟へ空気が流れる通気性（８ｍｍ以上）を有するものに関する。
【背景技術】
【０００２】
家屋の屋根構造に用いる屋根下葺防水材として、アスファルトルーフィングとゴムアスファルトルーフィングや、透湿防水シート（野地から垂直方向に湿気をシート上に通過させる透湿性を持った防水シート）がよく知られている（例えば、特許文献１，２参照）。このような屋根下葺防水材は低コストであり多用されている。
【特許文献１】特開２００７−１２６９５３号公報
【特許文献２】特開２００７−２２３０４６号公報
【発明の開示】
【発明が解決しようとする課題】
【０００３】
上述した屋根下葺防水材を用いた屋根構造では、次のような問題があった。すなわち、現在の住宅は長寿命化が推進されているため、その寿命が６０〜１００年とも言われているのに対し、アスファルトルーフィングやゴムアスファルトルーフィングは熱劣化が起きやすく、３０年もしないうちに劣化して収縮し破れてしまう。また、防水性は優れているものの、野地の湿気を排出する透湿性はない。そのため、野地で結露が起きやすく、野地の劣化も進行するという問題があった。
【０００４】
一方、透湿透湿防水シートは、シートの熱劣化と野地の劣化を防ぐための改良が加えられ、耐久性に関しては十分であるが、防水性に問題がある。すなわち、釘穴シール性の改善がいろいろ検討されているが、防水シートを止め付けるためのタッカー（針）に対する止水性はなかなか改善されていない。
【０００５】
そこで本発明は、十分な耐久性及び防水性を備えた屋根構造を提供することを目的としている。
【課題を解決するための手段】
【０００６】
前記課題を解決し目的を達成するために、本発明の屋根構造及び防水下地材は次のように構成されている。
【０００７】
垂木と、この垂木に下面が支持された野地板と、この野地板の上に配置され、複数枚の波板がその一部を重ね合わせて配置された波板構造体と、この波板構造体の上に配置された桟木と、この桟木の上に配置された屋根材と、上記波板構造体の波上部を貫通して上記野地板、上記垂木の順で打たれた固定釘と、上記屋根材から上記桟木に打たれた締結釘とを備え、上記波板には、他の波板との間に隙間を形成する突起部が形成されていることを特徴とする。
【０００８】
垂木と、この垂木に下面が支持された野地板と、この野地板の上に配置され、複数枚の波板がその一部を重ね合わせて配置された波板構造体と、この波板の上に配置された金属屋根材と、この金属屋根材から上記波板の波上部を貫通して上記野地板、上記垂木の順で打たれた固定釘とを備え、上記波板には、他の波板との間に隙間を形成する突起部が形成されていることを特徴とする。
【０００９】
垂木と、この垂木に下面が支持され、複数枚の波板がその一部を重ね合わせて配置された波板構造体と、この波板構造体の上に配置された桟木と、この桟木の上に配置された屋根材と、上記波板構造体の波上部を貫通して上記垂木に打たれた固定釘と、上記屋根材から上記桟木に打たれた締結釘とを備え、上記波板には、他の波板との間に隙間を形成する突起部が形成されていることを特徴とする。
【００１０】
垂木と、この垂木に下面が支持され、複数枚の波板がその一部を重ね合わせて配置された波板構造体と、この波板の上に配置された金属屋根材と、この金属屋根材から上記波板の波上部を貫通して上記垂木に打たれた固定釘とを備え、上記波板には、他の波板との間に隙間を形成する突起部が形成されていることを特徴とする。
【００１１】
垂木と、この垂木に下面が支持された野地板と、この野地板の上に配置され、複数枚の波板がその一部を重ね合わせて配置された波板構造体と、この波板の上に配置された太陽光発電パネルと、この太陽光発電パネルから上記波板の波上部を貫通して上記野地板、上記垂木の順で打たれた固定釘とを備え、上記波板には、他の波板との間に隙間を形成する突起部が形成されていることを特徴とする。
【００１２】
垂木と、この垂木に下面が支持され、複数枚の波板がその一部を重ね合わせて配置された波板構造体と、この波板の上に配置された太陽光発電パネルと、この太陽光発電パネルから上記波板の波上部を貫通して上記垂木に打たれた固定釘とを備え、上記波板には、他の波板との間に隙間を形成する突起部が形成されていることを特徴とする。
【００１３】
複数枚の波板がその一部を重ね合わせて配置された波板構造体と、上記波板構造体の波上部を貫通する固定釘とを備え、上記波板には、他の波板との間に隙間を形成する突起部が形成されていることを特徴とする。
【発明の効果】
【００１４】
本発明によれば、十分な耐久性、防水性及び通気性を備えることが可能となる。
【発明を実施するための最良の形態】
【００１５】
図１は本発明の第１の実施の形態に係る屋根構造１を示す断面図、図２〜図４は同屋根構造１の施工手順を示す断面図である。また、図５は屋根構造１に組み込まれた波板構造体１２を一部切欠して示す斜視図、図６は波方向に沿って切断した断面図、図７は垂木方向に沿って切断した断面図である。
【００１６】
屋根構造１は、垂木１０と、この垂木１０に下面が支持された野地板１１と、この野地板１１の上に配置された波板構造体１２と、この波板構造体１２の上に配置された桟木１４と、この桟木１４の上に配置された瓦（屋根材）１５とを備えている。これら垂木１０、野地板１１、波板構造体１２、桟木１４、瓦１５は、固定釘２０，２１及び締結釘２２により固定されている。固定釘２０は、波板構造体１２、野地板１１、垂木１０の順で打たれ、固定釘２１は、桟木１４、波板構造体１２、野地板１１、垂木１０の順で打たれ、締結釘２２は瓦１５から桟木１４に向かって打たれている。
【００１７】
野地板１１の最上部には、換気スリット１１ａが形成され、この換気スリット１１ａに跨るようにして棟金具３０が設けられ、この棟金具３０により水平方向に配置された垂木３１が支持されている。垂木３１はその上側から冠瓦３２により覆われている。また、図１中３３は空気流通部材を示している。
【００１８】
波板構造体１２は、合成樹脂製（ポリ塩化ビニル樹脂やポリカーボネート樹脂）の波板１３を複数用いて、その一部を重ね合わせた構造となっている。波板１３は、波上部１３ａと波下部１３ｂとが交互に、かつ、一定の間隔で形成されている。また、波上部１３ａと波下部１３ｂとが並ぶ波方向は、垂木１０の延びる方向（垂木方向）と直交して配置されている。
【００１９】
なお、固定釘２０，２１は、図２〜図４に示すように波上部１３ａを貫通して打ち込まれている。
【００２０】
図５に示すように、波板１３の垂木方向の端部には、波下部１３ｂを塞ぐように返り部（突起部）１３ｃが形成されている。このため、波板１３同士を重ね合わせると図６，図７に示すように、下段の波板１３と上段の波板１３との間に隙間が生じ、通気路Ｐが形成される。
【００２１】
このような屋根構造１は、次のようにして施工される。最初に、図２に示すように、垂木１０上に野地板１１を配置し、その上に波板構造体１２を敷く。そして、固定釘２０にて波板構造体１２の波上部１３ａから野地板１１を貫通させ、垂木１０に向かって打ち込む。次に、図３に示すように、桟木１４を配置し、固定釘２１にて桟木１４の上から波板構造体１２の波上部１３ａ及び野地板１１を貫通させ、垂木１０に向かって打ち込む。次に、図４に示すように、瓦１５を配置し、締結釘２２により、瓦１５と桟木１４とを固定する。
【００２２】
このように構成された屋根構造１では、波板構造体１２の上に瓦１５が配置されるため、合成樹脂製の波板構造体１２には直射日光は当たらず、経年劣化が少なくなる。また、波板構造体１２には固定釘２０，２１を貫通するための孔が形成されるが、その孔は波板構造体１２の波上部１３ａに形成されることになるため、瓦１５と波板構造体１２との間に浸入した水滴は、波上部１３ａに流入することがない。すなわち、水滴は波板構造体１２の波下部１３ｂに溜まり、軒先側に流れ落ちることになり、防水のためのルーフィングが別途不要となる。すなわち、波板構造体１２は屋根下葺材としての機能を有することとなり、十分な耐候性と低コスト性を有することになる。
【００２３】
一方、波板構造体１２はその構造上通気路Ｐが形成されているため、野地板１１と瓦１５の間の換気を十分に行うことができる。特に、波上部１３ａと波下部１３ｂとが並ぶ波方向を垂木１０の延びる方向と直交して配置することで、通気路Ｐが軒先から棟側に向かって形成されることとなり、図１中Ｆに示すように換気を円滑に行うことができる。このため、野地板１１の湿気を野地板１１と波板構造体１２との空間から棟から排湿できる、野地板１１での結露を防止でき、野地板１１の耐久性を向上させることができる。同様にして瓦１５下の熱気や雨水等の湿気を棟から排出できる。このため、断熱性も向上させることができる。
【００２４】
上述したように、本実施の形態に係る屋根構造１によれば、合成樹脂製の波板構造体１２を屋根下葺材として用いることで十分な耐久性を有しつつ、防水性を維持し、また野地板１１と瓦１５との間（屋根材の下部）の換気を行うことが可能となる。さらに、波板１３同士の間にも通気路Ｐが形成されるため、波板構造体１２の通気量を十分に確保することが可能となる。
【００２５】
図８は上述した屋根構造１に組み込まれた波板構造体１２の変形例に係る波板構造体１２Ａを一部切欠して示す斜視図、図９は波方向に沿って切断した断面図、図１０は垂木方向に沿って切断した断面図である。なお、図８〜１０において、図５〜７と同一機能部分には同一符号を付し、その詳細な説明は省略する。
【００２６】
図８に示すように、波板構造体１２Ａは、合成樹脂製の波板１３を複数用いて、その一部を重ね合わせた構造となっている。波板１３の波下部１３ｂには、図中上方に向けて突起部１３ｄが形成されている。このため、波板１３同士を重ね合わせると図９，図１０に示すように、下段の波板１３と上段の波板１３との間に隙間が生じ、通気路Ｐが形成される。
【００２７】
したがって、本変形例においても、上述した屋根構造１において、十分な通気量を確保することができる。
【００２８】
図１１は上述した屋根構造１に組み込まれた波板構造体１２の変形例に係る波板構造体１２Ｂを一部切欠して示す斜視図、図１２は波方向に沿って切断した断面図、図１３は垂木方向に沿って切断した断面図である。なお、図１１〜１３において、図５〜１０と同一機能部分には同一符号を付し、その詳細な説明は省略する。
【００２９】
図１１に示すように、波板構造体１２Ｂは、合成樹脂製の波板１３を複数用いて、その一部を重ね合わせた構造となっている。波板１３の垂木方向の端部には、波下部１３ｂを塞ぐように返り部（突起部）１３ｃが形成されるとともに、波板１３の波下部１３ｂには上方に向けて突起部１３ｄが形成されている。このため、波板１３同士を重ね合わせると図１２，図１３に示すように、下段の波板１３と上段の波板１３との間に隙間が生じ、通気路Ｐが形成される。
【００３０】
したがって、本変形例においても、上述した屋根構造１において、十分な通気量を確保することができる。
【００３１】
図１４は上述した屋根構造１に組み込まれた波板構造体１２の変形例に係る波板構造体１２Ｃを一部切欠して示す斜視図、図１５は波方向に沿って切断した断面図、図１６は垂木方向に沿って切断した断面図である。なお、図１４〜１６において、図８〜１０と同一機能部分には同一符号を付し、その詳細な説明は省略する。
【００３２】
図１４に示すように、波板構造体１２Ａは、合成樹脂製の波板１３を複数用いて、その一部を重ね合わせた構造となっている。波板１３の波下部１３ｂには、図中上方に向けて突起部１３ｄ，１３ｅが形成されている。このため、波板１３同士を重ね合わせると図１５，図１６に示すように、下段の波板１３と上段の波板１３との間に隙間が生じ、通気路Ｐが形成される。
【００３３】
したがって、本変形例においても、上述した屋根構造１において、波板１３同士の重ね部からさらに十分な通気量を確保することができる。また、大風のときに波板１３上で進入した風によって逆流する雨を止める水返しの機能も有している。
【００３４】
図１７は本発明の第２の実施の形態に係る屋根構造１Ａの要部を示す斜視図、図１８は同屋根構造１Ａの断面図である。図１７及び図１８において図１〜図４と同一機能部分には同一符号を付し、その詳細な説明は省略する。屋根構造１Ａにおいては、屋根材として金属瓦（金属屋根材）４０を用いている。
【００３５】
金属瓦４０を用いた場合においては、桟木１４を用いず、金属瓦４０に係合部４１を形成し、その係合部４１に上段の金属瓦４０の下端４２を引っ掛けて係止することで金属瓦４０同士を固定している。このため、締結釘は不要となる。なお、固定釘２１は、金属瓦４０から波板構造体１２の波上部１３ａを貫通して野地板１１、垂木１０の順で打たれている。この場合であっても、屋根構造１と同様の効果を得ることができる。
【００３６】
図１９〜図２１は本発明の第３の実施の形態に係る屋根構造１Ｂの施工手順を示す断面図である。図１９〜図２１において、図１〜４と同一機能部分には同一符号を付し、その詳細な説明は省略する。
【００３７】
屋根構造１Ｂは、垂木１０と、この垂木１０に下面が支持された波板構造体１２と、この波板構造体１２の上に配置された桟木１４と、この桟木１４の上に配置された瓦（屋根材）１５とを備えている。これら垂木１０、波板構造体１２、桟木１４、瓦１５は、固定釘２０，２１及び締結釘２２により固定されている。固定釘２０は、波板構造体１２、垂木１０の順で打たれ、固定釘２１は、桟木１４、波板構造体１２、垂木１０の順で打たれ、締結釘２２は瓦１５から桟木１４に向かって打たれている。
【００３８】
波板構造体１２の最上部には、換気スリット（不図示）が形成され、この換気スリットに跨るようにして棟金具３０が設けられ、この棟金具３０により水平方向に配置された垂木３１が支持されている。
【００３９】
波板構造体１２は、合成樹脂製（ポリ塩化ビニル樹脂やポリカーボネート樹脂）の波板１３を複数用いて、その一部を重ね合わせた構造となっている。波板１３は、波上部１３ａと波下部１３ｂとが交互に、かつ、一定の間隔で形成されている。また、波上部１３ａと波下部１３ｂとが並ぶ波方向は、垂木１０の延びる方向（垂木方向）と直交して配置されている。
【００４０】
なお、固定釘２０，２１は、図１９〜図２１に示すように波上部１３ａを貫通して打ち込まれている。
【００４１】
このような屋根構造１Ｂは、次のようにして施工される。最初に、図１９に示すように、垂木１０上に波板構造体１２を敷く。そして、固定釘２０にて波板構造体１２の波上部１３ａから垂木１０に向かって打ち込む。次に、図２０に示すように、桟木１４を配置し、固定釘２１にて桟木１４の上から波板構造体１２の波上部１３ａを貫通させ、垂木１０に向かって打ち込む。次に、図２１に示すように、瓦１５を配置し、締結釘２２により、瓦１５と桟木１４とを固定する。
【００４２】
このように構成された屋根構造１Ｂでは、波板構造体１２の上に瓦１５が配置されるため、合成樹脂製の波板構造体１２には直射日光は当たらず、経年劣化が少なくなる。また、波板構造体１２には固定釘２０，２１を貫通するための孔が形成されるが、その孔は波板構造体１２の波上部１３ａに形成されることになるため、瓦１５と波板構造体１２との間に浸入した水滴は、波上部１３ａに流入することがない。すなわち、水滴は波板構造体１２の波下部１３ｂに溜まり、軒先側に流れ落ちることになり、防水のためのルーフィングが別途不要となる。すなわち、波板構造体１２は屋根下葺材としての機能を有することとなり、十分な耐候性と低コスト性を有することになる。
【００４３】
一方、波板構造体１２はその構造上通気路Ｐが形成されているため、瓦１５との間の換気を十分に行うことができる。特に、波上部１３ａと波下部１３ｂとが並ぶ波方向を垂木１０の延びる方向と直交して配置することで、通気路Ｐが軒先から棟側に向かって形成されることとなり、換気を円滑に行うことができる。このため、室内の湿気を波板構造体１２と瓦１５の空間から棟から排湿でき、波板構造体１２での結露を防止でき、波板構造体１２の耐久性を向上させることができる。同様にして瓦１５下の熱気や雨水等の湿気を棟から排出できる。このため、断熱性も向上させることができる。
【００４４】
上述したように、本実施の形態に係る屋根構造１Ｂによれば、合成樹脂製の波板構造体１２を屋根下葺材及び野地板の代わりとして用いることで十分な耐久性を有しつつ、防水性を維持し、室内の換気を行うことが可能となる。さらに、波板１３同士の間にも通気路Ｐが形成されるため、波板構造体１２の通気量を十分に確保することが可能となる。
【００４５】
図２２は本発明の第４の実施の形態に係る屋根構造１Ｃの要部を示す斜視図、図２３は同屋根構造１Ｃの断面図である。図１７及び図１８において図１〜図４と同一機能部分には同一符号を付し、その詳細な説明は省略する。屋根構造１Ｃにおいては、屋根材として金属板５０と太陽光発電パネル６０の組合せを用いている。
【００４６】
金属板５０と太陽光発電パネル６０を用いた場合においては、桟木１４を用いず、金属板５０に係合部５１を形成し、その係合部５１に上段の金属板５０の下端５２を引っ掛けて係止することで金属板５０同士を固定している。このため、締結釘は不要となる。さらに金属板５０上に太陽光発電パネル６０が載置されている。
【００４７】
なお、固定釘２１は、金属板５０から波板構造体１２の波上部１３ａを貫通して野地板１１、垂木１０の順で打たれている。この場合であっても、屋根構造１Ａと同様の効果を得ることができる。
【００４８】
なお、本発明は前記実施の形態に限定されるものではなく、波板の波方向を垂木１０の延びる方向と並行に配置してもよい。また、波板構造体１２は、通気、排湿、水返し機能を有する防水下地材としても用いることができる。この他、本発明の要旨を逸脱しない範囲で種々変形実施可能であるのは勿論である。
【図面の簡単な説明】
【００４９】
【図１】本発明の第１の実施の形態に係る屋根構造を示す断面図。
【図２】同屋根構造の施工工程を示す断面図。
【図３】同屋根構造の施工工程を示す断面図。
【図４】同屋根構造の施工工程を示す断面図。
【図５】同屋根構造に組み込まれた波板構造体を一部切欠して示す斜視図。
【図６】同波板構造体を波方向に沿って切断した断面図。
【図７】同波板構造体を垂木方向に沿って切断した断面図。
【図８】同波板構造体の変形例を一部切欠して示す斜視図。
【図９】同波板構造体を波方向に沿って切断した断面図。
【図１０】同波板構造体を垂木方向に沿って切断した断面図。
【図１１】同波板構造体の変形例を一部切欠して示す斜視図。
【図１２】同波板構造体を波方向に沿って切断した断面図。
【図１３】同波板構造体を垂木方向に沿って切断した断面図。
【図１４】同波板構造体の変形例を一部切欠して示す斜視図。
【図１５】同波板構造体を波方向に沿って切断した断面図。
【図１６】同波板構造体を垂木方向に沿って切断した断面図。
【図１７】本発明の第２の実施の形態に係る屋根構造を示す斜視図。
【図１８】同屋根構造を示す断面図。
【図１９】本発明の第３の実施の形態に係る屋根構造の施工工程を示す断面図。
【図２０】同屋根構造の施工工程を示す断面図。
【図２１】同屋根構造の施工工程を示す断面図。
【図２２】本発明の第４の実施の形態に係る屋根構造を示す斜視図。
【図２３】同屋根構造を示す断面図。
【符号の説明】
【００５０】
１，１Ａ，１Ｂ，１Ｃ…屋根構造、１０…垂木、１１…野地板、１２，１２Ａ〜１２Ｃ…波板構造体、１３…波板、１４…桟木、１５…瓦（屋根材）、２０，２１…固定釘、２２…締結釘、４０…金属瓦（金属屋根材）、５０…金属板、６０…太陽光発電パネル。
【図１】
2010242349.tif 000003
【図２】
2010242349.tif 000004
【図３】
2010242349.tif 000005
【図４】
2010242349.tif 000006
【図５】
2010242349.tif 000007
【図６】
2010242349.tif 000008
【図７】
2010242349.tif 000009
【図８】
2010242349.tif 000010
【図９】
2010242349.tif 000011
【図１０】
2010242349.tif 000012
【図１１】
2010242349.tif 000013
【図１２】
2010242349.tif 000014
【図１３】
2010242349.tif 000015
【図１４】
2010242349.tif 000016
【図１５】
2010242349.tif 000017
【図１６】
2010242349.tif 000018
【図１７】
2010242349.tif 000019
【図１８】
2010242349.tif 000020
【図１９】
2010242349.tif 000021
【図２０】
2010242349.tif 000022
【図２１】
2010242349.tif 000023
【図２２】
2010242349.tif 000024
【図２３】
2010242349.tif 000025